(57)【要約】【課題】撮影状況に応じて最適な撮影モードを簡易に選択しやすくすることができる撮像装置を提供する。【解決手段】  撮像素子３は被写体からの光を電気信号に変換する。映像信号処理部４は電気信号に基づいて映像信号を生成する。顔検出部５は映像信号に基づいて被写体に含まれている人物の顔を検出する。撮影状態設定部２３は被写体を撮影する際の複数の撮影モードに対応した撮影状態とする。制御部６は、操作部７によって複数の撮影モードを順次切り替える際に、顔検出部５が人物の顔を検出していない第１の状態と人物の顔を検出している第２の状態とで、撮影モードを切り替える順を異ならせるよう制御する。【選択図】図１
2010050950.tif 000002
【特許請求の範囲】
【請求項１】
被写体からの光を電気信号に変換する撮像素子と、
前記電気信号に基づいて映像信号を生成する映像信号処理部と、
前記映像信号に基づいて前記被写体に含まれている人物の顔を検出する顔検出部と、
前記被写体を撮影する際の複数の撮影モードに対応した撮影状態とする撮影状態設定部と、
前記複数の撮影モードを順次切り替えるための操作部と、
前記操作部によって前記複数の撮影モードを順次切り替える際に、前記顔検出部が人物の顔を検出していない第１の状態と人物の顔を検出している第２の状態とで、前記撮影モードを切り替える順を異ならせるよう制御する制御部と
を備えることを特徴とする撮像装置
【請求項２】
前記複数の撮影モードの内、前記撮影状態設定部で設定している撮像モードを示す識別画像のオンスクリーン信号を発生するオンスクリーンディスプレイ発生部と、
前記オンスクリーン信号を表示するディスプレイと
を備え、
前記制御部は、前記操作部によって前記複数の撮影モードを順次切り替える際に、前記第１の状態と前記第２の状態とで、前記オンスクリーン発生部が発生する識別画像を切り替える順を異ならせるよう制御することを特徴とする請求項１記載の撮像装置。
【請求項３】
前記複数の撮影モードは、定められた複数の領域それぞれを撮影状態の基準位置とする複数の第１の撮影モードを含み、
前記制御部は、前記顔検出部が人物の顔を検出している際に、基準位置が前記顔の位置に最も近い第１の撮影モードを他の第１の撮影モードよりも先に有効になるよう制御することを特徴とする請求項１または２に記載の撮像装置。
【請求項４】
被写体からの光を電気信号に変換する撮像素子と、
前記電気信号に基づいて映像信号を生成する映像信号処理部と、
前記映像信号に基づいて前記被写体に含まれている人物の顔を検出する顔検出部と、
前記被写体を撮影する際の複数の撮影モードに対応した撮影状態とする撮影状態設定部と、
前記顔検出部が人物の顔を検出していない第１の状態のときに使用可能な前記撮影モードの数と、前記顔検出部が人物の顔を検出している第２の状態のときに使用可能な前記撮影モードの数とを異ならせるように制御する制御部と
を備えることを特徴とする撮像装置。
【請求項５】
前記複数の撮影モードは、定められた領域を明るさの基準位置とするスポット測光モードと、前記顔検出部が顔を検出しているときに顔の位置を明るさの基準位置とするスポット測光モードの内、少なくとも１つのスポット測光モードを含むことを特徴とする請求項１〜４のいずれか１項に記載の撮像装置。
【請求項６】
被写体からの光を電気信号に変換する撮像素子と、
前記電気信号に基づいて映像信号を生成する映像信号処理部と、
前記映像信号に基づいて前記被写体に含まれている人物の顔を検出する顔検出部と、
前記被写体を撮影する際の複数の撮影モードに対応した撮影状態とする撮影状態設定部と、
制御部と
を備え、
前記複数の撮影モードは、定められた１または複数の領域それぞれを撮影状態の基準位置とする１または複数の第１の撮影モードと、前記顔検出部が１または複数の顔を検出しているときに、前記１または複数の顔それぞれの位置を撮影状態の基準位置とする１または複数の第２の撮影モードとを含み、
前記制御部は、基準位置が前記第２の撮影モードの基準位置に最も近い前記第１の撮影モードを使用しないよう制御することを特徴とする撮像装置。
【請求項７】
前記第１の撮影モードは、定められた領域を明るさの基準位置とするスポット測光モードであり、前記第２の撮影モードは、前記顔検出部が検出している顔の位置を明るさの基準位置とするスポット測光モードであることを特徴とする請求項６記載の撮像装置。
【請求項８】
前記複数の撮影モードは、逆光を補正するための逆光補正モードを含むことを特徴とする請求項１〜７のいずれか１項に記載の撮像装置。
【発明の詳細な説明】
【技術分野】
【０００１】
本発明は、場面や状況に合わせて絞り値やシャッタスピードがあらかじめ設定されている複数の撮影モードや、周囲の明るさに合わせて自動的に絞り値やシャッタスピードを合わせることができる複数の撮影モードを有する撮像装置に関する。
【背景技術】
【０００２】
ビデオカメラやデジタルスチルカメラのような撮像装置はデジタル化が進んだことで多機能になり、数多くの撮影モードを備える機種が増えてきている。撮影モードとは例えば場面や状況に合わせた絞り値やシャッタスピードの設定や、周囲の明るさに合わせて自動的に絞り値やシャッタスピードを合わせることができる機能のことである。ユーザは、複数の撮影モードの内から最適なモードを選択することにより高画質な画像を撮影できる。しかしながら、複数の撮影モードを備える場合、最適なモードを選択するまでの手順が増えるという不具合がある。そこで最適なモードを簡単に選択できることが望まれる。撮影モードを設定する際の手順を減らすための一方法が特開２００３−２７４２６８号公報（特許文献１）に記載されている。
ところで、近年、被写体が人物である場合に顔を認識し、その認識した顔に自動でピントを合わせる機能を有する撮像装置が登場した。この顔認識機能については例えば特開２００６−１４５６２９号公報（特許文献２）に記載されている。今後、顔認識技術はほとんどの撮像装置に搭載されるものと思われる。
【先行技術文献】
【特許文献】
【０００３】
【特許文献１】特開２００３−２７４２６８号公報
【特許文献２】特開２００６−１４５６２９号公報
【特許文献３】特開２００５−１６５４４７号公報
【発明の概要】
【発明が解決しようとする課題】
【０００４】
特許文献１に記載の発明においては撮影している画像の輝度値、色、撮影している時刻に基づいてユーザが使いやすいように撮影モードのメニューの項目を並べ替えるようにしている。特許文献１に記載の発明では種々の条件を考慮しなければならないので処理が複雑である。また、特別の信号処理回路も必要となってしまう。
【０００５】
本発明はこのような問題点に鑑みなされたものであり、撮影状況に応じて最適な撮影モードを撮影状況に応じて特別かつ複雑な信号処理回路を設ける必要なく、簡易に選択しやすくすることができる撮像装置を提供することを目的とする。
【課題を解決するための手段】
【０００６】
本発明は、上述した従来の技術の課題を解決するため、被写体からの光を電気信号に変換する撮像素子（３）と、前記電気信号に基づいて映像信号を生成する映像信号処理部（４）と、前記映像信号に基づいて前記被写体に含まれている人物の顔を検出する顔検出部（５）と、前記被写体を撮影する際の複数の撮影モードに対応した撮影状態とする撮影状態設定部（２３）と、前記複数の撮影モードを順次切り替えるための操作部（７）と、前記操作部（７）によって前記複数の撮影モードを順次切り替える際に、前記顔検出部（５）が人物の顔を検出していない第１の状態と人物の顔を検出している第２の状態とで、前記撮影モードを切り替える順を異ならせるよう制御する制御部（６）とを備えることを特徴とする撮像装置を提供する。
また、本発明は、上述した従来の技術の課題を解決するため、被写体からの光を電気信号に変換する撮像素子（３）と、前記電気信号に基づいて映像信号を生成する映像信号処理部（４）と、前記映像信号に基づいて前記被写体に含まれている人物の顔を検出する顔検出部（５）と、前記被写体を撮影する際の複数の撮影モードに対応した撮影状態とする撮影状態設定部（２３）と、前記顔検出部（５）が人物の顔を検出していない第１の状態のときに使用可能な前記撮影モードの数と、前記顔検出部（５）が人物の顔を検出している第２の状態のときに使用可能な前記撮影モードの数とを異ならせるように制御する制御部（６）とを備えることを特徴とする撮像装置を提供する。
また、本発明は、上述した従来の技術の課題を解決するため、被写体からの光を電気信号に変換する撮像素子（３）と、前記電気信号に基づいて映像信号を生成する映像信号処理部（４）と、前記映像信号に基づいて前記被写体に含まれている人物の顔を検出する顔検出部（５）と、前記被写体を撮影する際の複数の撮影モードに対応した撮影状態とする撮影状態設定部（２３）と、制御部（６）とを備え、前記複数の撮影モードは、定められた１または複数の領域それぞれを撮影状態の基準位置とする１または複数の第１の撮影モードと、前記顔検出部（５）が１または複数の顔を検出しているときに、前記１または複数の顔それぞれの位置を撮影状態の基準位置とする１または複数の第２の撮影モードとを含み、前記制御部（６）は、基準位置が前記第２の撮影モードの基準位置に最も近い前記第１の撮影モードを使用しないよう制御することを特徴とする撮像装置を提供する。
【発明の効果】
【０００７】
本発明の撮像装置によれば、撮影状況に応じて最適な撮影モードを特別かつ複雑な信号処理回路を設ける必要なく、簡易に選択しやすくすることができる。
【図面の簡単な説明】
【０００８】
【図１】本発明の各実施形態を示すブロック図である。
【図２】本発明の第１実施形態の撮影モードメニューの第１のディスプレイ表示例である。
【図３】本発明の第１実施形態の動作を説明するためのフローチャートである。
【図４】本発明の第１実施形態の撮影モードメニューの第２のディスプレイ表示例である。
【図５】本発明の第１実施形態の撮影モードメニューの第３のディスプレイ表示例である。
【図６】本発明の第１実施形態の撮影モードメニューの第４のディスプレイ表示例である。
【図７】本発明の第１実施形態の撮影モードメニューの第５のディスプレイ表示例である。
【図８】本発明の第２実施形態の撮影モードメニューの第１のディスプレイ表示例である。
【図９】本発明の第２実施形態の撮影モードメニューの第２のディスプレイ表示例である。
【図１０】本発明の第３実施形態のディスプレイ表示例である。
【図１１】本発明の第３実施形態の撮影モードの切り替え動作時の第１のディスプレイ表示例である。
【図１２】本発明の第３実施形態の第１の動作例を説明するためのフローチャートである。
【図１３】本発明の第３実施形態の撮影モードの切り替え動作時の第２のディスプレイ表示例である。
【図１４】本発明の第３実施形態の第２の動作例を説明するためのフローチャートである。
【図１５】本発明の第４実施形態の撮影モードの切り替え動作時の第１のディスプレイ表示例である。
【図１６】本発明の第４実施形態の動作を説明するためのフローチャートである。
【図１７】本発明の第４実施形態の撮影モードの切り替え動作時の第２のディスプレイ表示の例である。
【図１８】本発明の第５実施形態の撮影モードの切り替え動作時のディスプレイ表示の例である。
【図１９】本発明の第５実施形態の動作を説明するためのフローチャートである。
【発明を実施するための形態】
【０００９】
以下、本発明の撮像装置について、添付図面を参照して説明する。
【００１０】
＜第１実施形態＞
まず、図１を用いて第１実施形態の全体構成について説明する。図１において、図示していない被写体からの光はレンズ１によって集光される。集光された光は絞り２１と絞り駆動部２２とを有する絞り部２によって光量を調整され、ＣＣＤ等の撮像素子３に入射される。撮像素子３は入射された光信号を電気的な画素信号に変換する。映像信号処理部４は撮像素子３から入力された画素信号に基づいて所定の形式の映像信号（例えばＲＧＢ信号）を生成し、各種の信号処理を施して出力する。顔検出部５は映像信号処理部４から入力された映像信号を元に画像の肌色部分を検出したり、周知のパターン認識技術を用いたりして被写体に含まれている人物の顔を検出する。顔検出部５は、顔の数及び位置も検出する。
【００１１】
例えばマイクロプロセッサである制御部６は顔検出部５からの顔の数及び位置の情報を含む顔検出情報や操作部７による操作に応じて、オンスクリーンディスプレイ（ＯＳＤ）発生部８を制御する。ＯＳＤ発生部８は制御部６による制御に基づいてＯＳＤ信号を作成し、ＯＳＤ重畳部９は映像信号処理部４から入力された映像信号にＯＳＤ信号を重畳する。そして、ディスプレイ１０はＯＳＤ重畳部９から供給された映像信号を表示する。
【００１２】
また、制御部６は操作部７の操作に応じて各種撮影モードに適した撮影状態とするために、例えばモータである絞り駆動部２２へ絞り値に応じた制御信号を出力する。絞り駆動部２２は制御部６から入力された制御信号に応じて絞り２１の開口の大きさを調整する。また、本実施形態では撮像素子３の画素信号を取り出す時間を調整する電気的な手段を用いてシャッタ動作を実現している。よって、各種撮影モードで適した撮影状態とするために、制御部６は操作部７の撮影ボタン７４が押下されたときに画素信号を取り出す時間を調整する制御信号を撮像素子３へ出力する。撮像素子３は制御部６から入力された制御信号に応じた時間の画素信号を取り出し、それを映像信号処理部４へ出力する。以上のように絞り部２と撮像素子３は複数の撮影モードに対応した撮影状態（絞り値やシャッタスピード）とする撮影状態設定部２３としての役割となっている。
また、操作部７は撮影ボタン７４の他にメニュー表示ボタン７１、逆光補正・スポット測光ボタン７２、カーソルボタン７３、決定ボタン７５を備えている。
【００１３】
次に、図２（Ａ）を用いて顔検出部５が人物の顔を検出していない場合の表示例について説明する。
ユーザが図１における操作部７のメニュー表示ボタン７１を押下すると、ＯＳＤ発生部８は制御部６による制御に基づいて撮影モードのメニュー画像２０１2AのＯＳＤ信号を発生させる。これによって、ディスプレイ１０には例えば画面の左上部に撮影モードのメニュー画像２０１2Aが表示される。
【００１４】
図２（Ａ）において、“背景”なるモードは絞り部２の光を遮る量を大きめにして背景に合わせた露出調整をするモード、“スノー”なるモードは晴れた日の雪原などで周囲が明るくなりすぎないようにするモードである。この２つのモードは人物との関連性が小さく、景色を撮影するのに適した撮影モードである。
【００１５】
また、“スポットライト”なるモードはライトの中の人物を明るくなりすぎないように撮影するモード、“スポーツ”なるモードは動きの速いものを１コマ１コマ鮮明に撮影するのに適したモードであり、“ポートレート”なるモードは背景をぼかして人物を浮かび上がらせるモードである。これら３つの撮影モードは前述の２つの撮影モードよりも人物と関連性が大きい撮影モードである。
有効となったそれぞれの撮影モードに対応して、制御部６は絞り部２の絞り値や撮像素子３から映像信号を取り出す時間を調整する制御信号を絞り駆動部２２及び撮像素子３へ出力する。
【００１６】
撮影モード用のメニュー画像２０１2Aが表示された直後は最上位の撮影モードにカーソルが位置している。このメニュー画像２０１2Aが表示されている時点では、それぞれの撮影モードは有効となっていない。カーソルボタン７３によっていずれかの撮影モードを選択し、決定ボタン７５を押下することによってその撮影モードが有効となる。
【００１７】
顔検出部５が人物の顔を検出していない場合である通常時のメニュー画像２０１2Aには、上から順に“背景”、“スノー”、“スポットライト”、“スポーツ”、“ポートレート”が配置されている。撮影モード用のメニュー画像２０１2Aが表示された時点では最上位の“背景”にカーソルが位置しているのでユーザは目的とする撮影モードを簡易に選択することができる。
【００１８】
次に、図２（Ｂ）を用いて顔検出部５が顔を検出した場合である顔検出時の表示例について説明する。顔検出部５が顔を検出した場合、制御部６は顔検出部５によって検出された顔の情報に基づいてＯＳＤ発生部８に人物２０４の顔２０３を囲うような大きさの矩形の顔検出領域枠２０２のＯＳＤ信号を発生させる。ＯＳＤ重畳部９は映像信号処理部４から入力された映像信号に顔検出領域枠２０２のＯＳＤ信号を重畳する。従って、ディスプレイ１０には人物２０４の顔２０３を顔検出領域枠２０２で囲んだ画像が表示される。
【００１９】
次に顔検出時のメニュー画像２０１2Bの一例について説明する。顔検出時のメニュー画像２０１2Bには、上から順に“ポートレート”、“スポーツ”、“スポットライト”、“スノー”、“背景”が配置されている。撮影モード用のメニュー画像２０１2Bが表示された時点では最上位の“ポートレート”にカーソルが位置しているのでユーザは目的とする撮影モードを簡易に選択することができる。
【００２０】
図３のフローチャートを用いて、第１実施形態の撮影モードのメニュー画像を設定する動作について説明する。図３において、撮像装置の電源がオンになると、ステップＳ１１にて制御部６は顔検出部５による顔検出機能を有効にする。その後、ステップＳ１２にて制御部６は現在、ディスプレイ１０に撮影モードのメニュー画像を表示しているか否かを判断する。メニュー画像表示中にメニュー順番を並べ替えるとかえってユーザが戸惑うことになる。そこで、メニュー画像を表示中であれば（Ｙｅｓ）、ステップＳ１６に移る。メニュー画像が非表示であれば（Ｎｏ）、ステップＳ１３にて制御部６が顔検出部５からの情報により、顔を検出しているか否かを判断する。
【００２１】
顔を検出していない場合（Ｎｏ）、ステップＳ１４にて、制御部６は、メニュー画像を通常時のメニュー画像２０１2Aに設定する。顔を検出している場合（Ｙｅｓ）、ステップＳ１５にて、制御部６は、メニュー画像を顔検出時のメニュー画像２０１2Bに設定する。
【００２２】
次に、制御部６はステップＳ１６にてメニュー表示ボタン７１が押下されたか否かを判断し、押下されていなければ（Ｎｏ）ステップＳ１１に戻る。押下されたら（Ｙｅｓ）、ステップＳ１７に移る。次にステップＳ１７にて制御部６は現在メニュー画像を表示中であるか否かを判断する。メニュー画像を表示していなければ（Ｎｏ）、ステップＳ１８にて制御部６は、ステップＳ１４、または、ステップＳ１５にて設定したメニュー画像のＯＳＤ信号をＯＳＤ発生部８に発生させて、メニュー画像をディスプレイ１０に表示する。メニュー画像を表示中であれば（Ｙｅｓ）、ステップＳ１９にて表示されていた撮影モードのメニュー画像を消す。
【００２３】
次に、メニュー画像の他の例について説明する。
通常時のメニュー画像には、図４（Ａ）のように、顔を検出していないときに使用頻度の高い“背景”、“スノー”のみが表示されているメニュー画像２０１4Aを用いることもできる。“ポートレート”、“スポーツ”、“スポットライト”を灰色や薄い色で表示しても良い。顔検出時のメニュー画像には図４（Ｂ）のような、顔を検出しているときに使用頻度の高い“ポートレート”、“スポーツ”、“スポットライト”のみが表示されているメニュー画像２０１4Bを用いることもできる。“背景”、“スノー”を灰色や薄い色で表示しても良い。撮影モードの数を減らし、さらにその並び順を変えたメニュー画像を用いても良い。
【００２４】
また、通常時のメニュー画像には、図５（Ａ）のように、顔を検出していないときに使用頻度の高い“背景”、“スノー”をハイライト表示したメニュー画像２０１5Aを用いることもできる。顔検出時のメニュー画像には図５（Ｂ）のような、顔を検出していないときに使用頻度の高い“ポートレート”、“スポーツ”、“スポットライト”をハイライト表示したメニュー画像２０１5Bを用いることができる。また、ハイライト表示に限らず、文字のフォントや、色、太さを変えても良い。
【００２５】
さらに、通常時のメニュー画像には、図６（Ａ）のように、顔を検出していないときに使用頻度の高い“背景”、“スノー”にマークを付与したメニュー画像２０１5を用いることもできる。図６（Ａ）のメニュー画像２０１5Aでは、“背景”、“スノー”に星形のマークが付与されている。顔検出時のメニュー画像には図５（Ｂ）のような、顔を検出していないときに使用頻度の高い“ポートレート”、“スポーツ”、“スポットライト”にマークを付与したメニュー画像２０１5Bを用いることができる。図５（Ｂ）のメニュー画像２０１5Bでは、“ポートレート”、“スポーツ”、“スポットライト” に星形のマークが付与されている。マークは星形に限定されることはなく、任意のマークで良い。
【００２６】
図７を用いてメニュー画像の他の例について、さらに説明する。
図７（Ａ）において、“スノー（晴れ）”なるモードと“スノー（曇り）”なるモードは“スノー”モードの露出調整をさらに詳細に設定した“スノー”モードの下位機能である。図７（Ｂ）において、“スポーツ（室内）”なるモードと“スポーツ（屋外）”なるモードは“スポーツ”モードの露出調整をさらに詳細に設定した“スポーツ”モードの下位機能である。
【００２７】
通常時のメニュー画像には、図７（Ａ）のように、上位モードのメニュー画像２０１71と、顔を検出しているときに使用頻度の高い“スノー”モードの下位機能のメニュー画像２０１72から成るメニュー画像２０１7A用いることができる。顔検出時のメニュー画像には、図７（Ｂ）のように、上位モードのメニュー画像２０１73と、顔を検出しているときに使用頻度の高い“スポーツ”モードの下位機能のメニュー画像２０１74から成るメニュー画像２０１7B用いることができる。これによって、ユーザは目的とする撮影モードの下位機能を簡易に選択することができる。
【００２８】
＜第２実施形態＞
以下、第２実施形態について説明する。なお、顔検出部５の動作及びメニュー画像以外は第１実施形態と同様である。
【００２９】
まず、顔検出部５の動作について説明する。第１実施形態と同様に、顔検出部５は映像信号処理部４から入力された映像信号を元に画像の肌色部分を検出したり、周知のパターン認識技術を用いたりして被写体に含まれている人物の顔を検出する。さらに、本実施形態の顔検出部５は、特開２００５−１６５４４７号公報（特許文献３）に記載されているような公知の技術を用いて被写体に含まれている人物の性別及び年齢を検出する。
【００３０】
まず、図８（Ｂ）を用いて顔検出部５がこども８０１の顔８０２を検出しているときのメニュー画像２０１8Bについて説明する。図８（Ａ）に示す通常時のメニュー画像２０１2Aは第１実施形態のメニュー画像２０１2Aと同様であるので説明を省略する。
【００３１】
本実施形態において、顔検出部５は被写体に含まれている人物の年齢を例えば１０歳未満であると検出したときに、その人物はこどもであると判断する本実施形態では１０歳以上はおとなであるとする。
顔検出部５がこども８０１の顔８０２を検出している場合、顔検出時に使用頻度の高い “ポートレート”、“スポーツ”、“スポットライト”の中でもこども８０１を撮影するときに最も使用頻度の高い“スポーツ”を最優先したメニュー画像２０１8Bを用いる。つまり、制御部６は、上から順に“スポーツ”、“ポートレート”、“スポットライト”、“スノー”、“背景”を配置したこども検出時のメニュー画像２０１8Bに設定する。
【００３２】
次に、図９（Ｂ）を用いて顔検出部５が女性９０１の顔９０２を検出しているときのメニュー画像２０１9Bについて説明する。図９（Ａ）に示す通常時のメニュー画像２０１2Aは第１実施形態のメニュー画像２０１2Aと同様であるので説明を省略する
【００３３】
顔検出部５が女性９０１の顔９０２を検出している場合、顔検出時に使用頻度の高い “ポートレート”、“スポーツ”、“スポットライト”の中で女性９０１を撮影するときに最も使用頻度の低いと考えられる“スポーツ”を“ポートレート”、“スポットライト”よりも下に配置したメニュー画像２０１9Bを用いる。つまり、制御部６は、上から順に“ポートレート”、“スポットライト”、“スポーツ”、“スノー”、“背景”を配置した女性検出時のメニュー画像２０１9Bに設定する。
【００３４】
以上のように、性別や年齢でメニュー画像を異ならせることで、ユーザは、設定したい撮影モードをより少ない操作回数で設定することができる。また、第１実施形態のように、一部の撮影モードをハイライト表示したメニュー画像、一部の撮影モードに特定のマークを付与したメニュー画像、撮影モードの一部を表示しないメニュー画像２０１、下位機能を含んだメニュー画像を使用しても良い。また、撮影モードの数を減らし、さらにその並び順を変えたメニュー画像を用いても良い。
【００３５】
＜第３実施形態＞
以下、第３実施形態について説明する。なお、全体構成は第１実施形態と同様である。
まず、図１０を用いて第３実施形態における撮影モードについて説明する。本実施形態では太陽に向かって撮影したときなどに被写体が暗くなるのを補正する“逆光補正”なるモード、画面の中央部の所定の領域４５Ｃを明るさの基準にする“スポット測光・中央”なるモード、画面の右側部の所定の領域４５Ｒを明るさの基準にする“スポット測光・右”なるモード、画面の左側部の所定の領域４５Ｌを明るさの基準にする“スポット測光・左”なるモード、という周囲の明るさに合わせて自動的に絞り部２の絞り値や撮像素子３の映像信号の取り出す時間を調整することができる４つの撮影モードを例とする。
【００３６】
顔を検出していない通常時の動作例について図１１（Ａ）を用いて説明する。図１１（Ａ）に示すように制御部６はユーザが“逆光補正”を有効にするために逆光補正・スポット測光ボタン７２を押下すると、制御部６は撮影状態設定部２３を逆光補正に適した撮影状態とし、ＯＳＤ発生部８に逆光補正が有効であることを示す識別画像である逆光補正マーク４１のＯＳＤ信号を発生させる。ＯＳＤ重畳部９は逆光補正マーク４１のＯＳＤ信号と映像信号処理部４から入力された映像信号とを重畳させ、ディスプレイ１０に表示する。
【００３７】
また、“逆光補正”が有効となっている状態で“スポット測光”を有効にするためにユーザが逆光補正・スポット測光ボタン７２を再び押下すると、制御部６は撮影状態設定部２３をスポット測光に適した撮影状態とし、ＯＳＤ発生部８にスポット測光が有効であることを示す識別画像であるスポット測光マーク４２とスポット測光時に明るさの基準にしている領域を示すスポット測光領域枠４３のＯＳＤ信号を発生させる。ＯＳＤ重畳部９はスポット測光マーク４２とスポット測光領域枠４３のＯＳＤ信号と映像信号処理部４から入力された映像信号とを重畳させ、ディスプレイ１０に表示する。
【００３８】
顔を検出していない場合、制御部６はあらかじめ顔を検出していないときに使用する可能性が高い順に上記の４つの撮影モードを通常時の撮影モード切り替え順にしておく。逆光補正・スポット測光ボタン７２が押下されるたびに「モード１」→「モード２」→「モード３」→「モード４」→「モード・オフ」というように撮影モードが切り替わるとすると、制御部６は顔検出をしていないときに使用頻度が低いと考えられる“スポット測光”よりも“逆光補正”を優先し、「モード１」に“逆光補正”を割り当てる。
【００３９】
次に、“スポット測光”は画面中央で行うことが多いと考えられるため、制御部６は「モード２」に“スポット測光・中央”を割り当て、次の「モード３」には“スポット測光・左”を、「モード４」には“スポット測光・右”を割り当てる。顔を検出していない場合“スポット測光・左”と“スポット測光・右”は使用頻度に大きな差はないと考えられるため、逆の順番でも良い。顔を検出していないとき、制御部６は上記のように各撮影モードを割り当てるため、最初に逆光補正・スポット測光ボタン７２が押下されると“逆光補正”が有効になり、その後、逆光補正・スポット測光ボタン７２が押下されるたびに、“スポット測光・中央”、“スポット測光・左”、”スポット測光・右“の順に撮影モードが切り替わり最後に「モード・オフ」となる。以上が顔を検出していない通常時の撮影モード切り替え順である。
【００４０】
次に、顔を検出しているときの動作例について図１１（Ｂ）を用いて説明する。図１１（Ｂ）では顔検出部５がディスプレイ１０の右側で人物２０４の顔２０３を検出している。制御部６は、顔検出部５からの顔検出情報を基に、顔２０３の中心位置４００が明るさの基準とする領域４５Ｃ，４５Ｒ，４５Ｌの内、どの領域に最も近いかを判断する。図１１（Ｂ）では、顔２０３の中心位置４００は画面の右側の領域４５Ｒと最も近い。
制御部６は顔を検出しているときに使用頻度が低いと考えられる“逆光補正”よりも“スポット測光”を優先する。さらに、検出している顔でスポット測光を行う可能性が高いと考えられるので、「モード１」に顔２０３の中心位置４００に最も近い領域４５Ｒを明るさの基準とする撮影モードである“スポット測光・右”を割り当てる。
【００４１】
次に、“スポット測光”は画面中央で行うことが多いと考えられるため、制御部６は「モード２」に“スポット測光・中央”を割り当て、次の「モード３」には“スポット測光・左”を割り当てる。そして、「モード４」には顔を検出していないときに最も使用頻度が低いと考えられる“逆光補正”を割り当てる。ディスプレイ１０の右側で顔を検出しているとき、制御部６は上記のように各撮影モードを割り当てるため、最初に逆光補正・スポット測光ボタン７２が押下されると“スポット測光・右”が有効になり、その後、逆光補正・スポット測光ボタン７２が押下されるたびに、“スポット測光・中央”、“スポット測光・左”、“逆光補正”の順に撮影モードが切り替わり、最後に「モード・オフ」、つまり撮影モードを無効にする。これが顔を検出している顔検出時のモード切り替え順である。
【００４２】
図１２のフローチャートを用いて、第３実施形態における動作について説明する。なお、図１２においても顔を検出しているのは画面右側部であるとする。
【００４３】
図１２において撮像装置の電源がオンになったらステップＳ１０１にて制御部６は顔検出部５の顔検出機能を有効にする。その後、ステップ１０２にて、制御部６は撮影モードが有効か否かを判断する。撮影モードが有効なときに撮影モードが切り替わる順番を並べ替えるとかえってユーザが戸惑うことになる。そこで撮影モードが有効であれば（Ｙｅｓ）、ステップＳ１０８に移る。撮影モードが無効の場合（Ｎｏ）は、ステップＳ１０３にて顔検出部５からの情報により、制御部６は顔を検出しているか否かを判断する。顔を検出していない場合（Ｎｏ）、制御部６はステップＳ１０４にて撮影モードの切り替え順を通常時の“逆光補正”、“スポット測光・中央”、“スポット測光・左”、”スポット測光・右“という順番にする。顔を検出している場合（Ｙｅｓ）、制御部６はステップＳ１０５にて撮影モードの切り替え順を顔検出時の“スポット測光・右”、“スポット測光・中央”、“スポット測光・左”、“逆光補正”という順番にする。
【００４４】
次に制御部６はステップＳ１０６にて逆光補正・スポット測光ボタン７２が押下されたか否かを判断する。ステップＳ１０６ではいずれの撮影モードも有効ではないため、逆光補正・スポット測光ボタン７２が押下されたら（Ｙｅｓ）、ステップＳ１０７にて制御部６は絞り値を調整する制御信号を絞り駆動部２２へ、映像信号の取り出す時間を調整する制御信号を撮像素子３へ出力して「モード１」を有効にする。押下されなかった場合（Ｎｏ）、ステップＳ１０１に戻る。
【００４５】
一方、ステップＳ１０２で撮影モードが有効の場合（Ｙｅｓ）は、ステップＳ１０８にて制御部６は逆光補正・スポット測光ボタン７２が押下されたか否かを判断する。押下されなかった場合（Ｎｏ）、ステップＳ１０１に戻る。押下された場合（Ｙｅｓ）、制御部６はステップＳ１０９にて、現在どの撮影モードが有効であるか判断する。その結果、現在、「モード１」、「モード２」、「モード３」のいずれかが有効である場合（モード１、２、３）、ステップＳ１１０にて制御部６は各撮影モードを次の撮影モードに切り替える。すなわち、制御部６は「モード１」は「モード２」へ、「モード２」は「モード３」へ、「モード３」は「モード４」へ切り替える。また、ステップＳ１０９で「モード４」が有効である場合（モード４）、ステップＳ１１１にて、制御部６は「モード・オフ」にする。以上によって、顔を検出していない状態と検出している状態とで“逆光補正”と“スポット測光”の撮影モードの順をそれぞれ最適化することができる。
【００４６】
次に、顔検出時のモード割り当ての他の例について、図１３を用いて説明する。図１３では顔検出部５がディスプレイ１０の右側で人物２０４の顔２０３を検出している。このとき、制御部６は顔を検出しているときに使用頻度が低いと考えられる“逆光補正”よりも“スポット測光”を優先する。さらに、検出している顔でスポット測光を行う可能性が高いと考えられるので、「モード１」に“スポット測光・右”を割り当てる。
【００４７】
顔を検出している部分以外では“スポット測光”を使用することは少ないと考えられるので、制御部６は「モード２」に“逆光補正”を割り当てる。「モード３」、「モード４」は使用せず、「モード１」、「モード２」のみを使用する。ディスプレイ１０の右側で顔を検出しているとき、制御部６は上記のように各撮影モードを割り当てるため、最初に逆光補正・スポット測光ボタン７２が押下されると“スポット測光・右”が有効になり、その後、逆光補正・スポット測光ボタン７２が押下されると“逆光補正”に撮影モードが切り替わり、次に「モード・オフ」となる。このように、顔検出部５が顔を検出しているときに、使用するモードの数を減らすことで、より簡単な操作にすることができる。
【００４８】
次に図１４を用いて、顔検出時に「モード１」、「モード２」のみを使用する際の撮像装置の動作の一例について説明する。なお、ステップＳ１０１〜ステップＳ１０８までは、図１２のステップＳ２０１〜ステップＳ２０８と同様であるため、ステップＳ２０９以降のみ説明する。
ステップＳ２０８にて、逆光補正・スポット測光ボタン７２が押下された場合（Ｙｅｓ）、制御部６はステップＳ２０９にて現在の切り替え順を判断する。顔を検出していない通常時の切り替え順の場合（通常時）、ステップＳ２１０にて制御部６は現在、どの撮影モードが有効であるかを判断する。「モード１」〜「モード３」のいずれかが有効である場合（モード１〜３）、ステップＳ２１１にて、制御部６は各撮影モードを次の撮影モードに切り替える。すなわち、制御部６は「モード１」は「モード２」へ、「モード２」は「モード３」へ、「モード３」は「モード４」へ切り替える。また、ステップＳ２１０で現在「モード４」である場合（モード４）、ステップＳ２１２にて制御部６は「モード・オフ」にする。
【００４９】
ステップＳ２０９にて顔検出時の切り替え順の場合（顔検出時）、ステップＳ２１３にて制御部６は、現在どの撮影モードが有効であるかを判断する。「モード１」が有効である場合（モード１）、ステップＳ２１４にて、制御部６は撮影モードを次の撮影モードに切り替える。すなわち、制御部６は「モード１」を「モード２」へ切り替える。ステップＳ２１３にて「モード２」が有効である場合（モード２）、ステップＳ２１５にて制御部６は「モード・オフ」にする。
以上のように顔検出時に使用する撮影モードの数を減らすことで、目的とする撮影モードが選択し易くなる。また、使用する撮影モードの数を減らし、さらにその撮影モードを切り替える順番を変更しても良い。
【００５０】
＜第４実施形態＞
第４実施形態は第３実施形態を発展させたものであり、全体構成は第１実施形態と同様である。また、顔を検出していない通常時の動作は第２実施形態と同様であるので顔検出時の動作についてのみ説明する。
【００５１】
本実施形態では、第３実施形態の撮影モードに加えて、顔検出部５が検出した顔の部分を明るさの基準にする“スポット測光・顔”なるモードを用いる。本実施形態では、顔検出時に５つの撮影モードを使用する。
【００５２】
次に図１５の表示例について説明する。顔を検出した場合、制御部６は顔検出部５によって検出された顔の情報に基づいてＯＳＤ発生部８に顔２０３を囲うような大きさの矩形の顔検出領域枠４３のＯＳＤ信号を発生させる。ＯＳＤ重畳部９は映像信号処理部４から入力された映像信号に顔検出領域枠４３のＯＳＤ信号を重畳する。従って、ディスプレイ１０には人物２０４の顔２０３を顔検出領域枠４３で囲んだ画像が表示される。
【００５３】
図１５では顔検出部５がディスプレイ１０の右側で人物２０４の顔２０３を検出している。顔２０３を検出しているときは、その検出している顔２０３の部分を対象に“スポット測光”を行う可能性が高い。
そこで、制御部６は「モード１」に “スポット測光・顔”を割り当てる。“スポット測光・顔”なるモードは人物２０４の顔２０３の中心位置４００を中心とした領域４５Ｆを明るさの基準とする撮影モードである。
【００５４】
次に、制御部６は、顔検出部５からの顔検出情報を基に、顔２０３の中心位置４００が前述した３つの明るさの基準とする領域４５Ｃ，４５Ｒ，４５Ｌの内、どの領域に最も近いかを判断する。制御部６は、その最も近い領域に対応した“スポット測光”が他の“スポット測光”よりも後に有効になるように制御する。図１７では、顔２０３の中心位置４００は画面の右側の領域４５Ｒと最も近いので、“スポット測光・右”を“スポット測光・中央”、“スポット測光・左”よりも後に有効となるように制御する。
【００５５】
つまり、制御部６は「モード２」に“スポット測光・中央”を割り当て、次の「モード３」には“スポット測光・左”を割り当てる。そして、「モード４」に“スポット測光・右”を割り当てる。最後の「モード５」には顔を検出していないときに最も使用頻度が低いと考えられる“逆光補正”を割り当てる。なお、“スポット測光”は画面中央で行うことが多いため、“スポット測光・中央”を“スポット測光・左”よりも先に割り当てている。
【００５６】
ディスプレイ１０の右側で顔を検出しているとき、制御部６は上記のように各撮影モードを割り当てるため、最初に逆光補正・スポット測光ボタン７２が押下されると“スポット測光・顔”が有効になり、その後、逆光補正・スポット測光ボタン７２が押下されるたびに、“スポット測光・中央”、“スポット測光・左”、“スポット測光・右”、“逆光補正”の順に撮影モードが切り替わり最後に「モード・オフ」となる。これが本実施形態における顔を検出している顔検出時のモード切り替え順である。
【００５７】
次に図１６を用いて、本実施形態における撮影モードの切り替え順の並べ替えを実現する動作を説明する。なお、ステップＳ３０１〜ステップＳ３１２までは、図１４のステップＳ２０１〜ステップＳ２１２と同様であるため、ステップＳ３１３以降のみ説明する。
【００５８】
ステップＳ３０９にて顔検出時の切り替え順の場合（顔検出時）、ステップＳ３１３にて制御部６は現在、どの撮影モードが有効であるかを判断する。「モード１」〜「モード４」のいずれかが有効である場合（モード１〜４）、ステップＳ３１４にて制御部６は各撮影モードを次の撮影モードに切り替える。すなわち、制御部６は「モード１」は「モード２」へ、「モード２」は「モード３」へ切り替え、「モード３」以降も同様にして次の撮影モードに切り替える。ステップＳ３１３にて「モード５」が有効である場合（モード５）、ステップＳ３１５にて制御部６は「モード・オフ」にする。
以上のように顔検出時に使用頻度の高い“スポット測光・顔”を「モード１」に設定することで、ユーザは、少ない操作回数で意図している撮影モードに設定することができる。
【００５９】
また、図１７に示すように、検出した顔に最も近い領域に対応した“スポット測光”を使用しないように制御しても良い。
制御部６は、顔検出部５からの顔検出情報を基に、顔２０３の中心位置４００が前述した３つの明るさの基準とする領域４５Ｃ，４５Ｒ，４５Ｌの内、どの領域に最も近いかを判断する。制御部６は、その最も近い領域に対応した“スポット測光”を使用しないように制御する。
【００６０】
図１７では、顔２０３の中心位置４００は画面の右側の領域４５Ｒと最も近いので、“スポット測光・右”は使用しない。つまり、制御部６は「モード１」に“スポット測光・顔”を割り当て、次の「モード２」には“スポット測光・中央”を割り当てる。そして、「モード３」に“スポット測光・左”を割り当てる。最後の「モード４」には顔を検出していないときに最も使用頻度が低いと考えられる“逆光補正”を割り当てる。この例では「モード５」は使用しない。この際の動作は図１２のフローチャートと同様である。
【００６１】
＜第５実施形態＞
第５実施形態は第４実施形態を発展させたものであり、重複している部分の説明は省略する。第４実施形態は顔検出部５において顔を検出した場合の撮影モードを複数の顔を検出した場合にまで拡張し、基準位置をそれぞれの顔の位置としたものである。全体構成は第１実施形態と同様である。
【００６２】
まず、第５実施形態における撮影モードについて説明する。第５実施形態では顔検出部５が検出した顔それぞれの部分を明るさの基準にする“スポット測光”を用いる。顔検出部５が顔（１）〜顔（N）のN個の顔を検出したとすると“スポット測光・顔（１）”〜“スポット測光・顔（N）”というN個の撮影モードを用いる。また、“逆光補正”モードも用いる。顔検出部５が顔をN個検出した場合、“スポット測光・顔（１）”〜“スポット測光・顔（N）”に“逆光補正”を加えた（N＋１）個の撮影モードを使うことになる。これらの撮影モードが有効になると、制御部６は絞り駆動部２２、及び、撮像素子３へそれぞれのモードに対応した制御信号を出力する。また、制御部６は逆光補正・スポット測光ボタン７２が押下されるたびに（Ｎ＋１）個の撮影モードを切り替える。
【００６３】
次に図１８の表示例について説明する。図１８は顔を３つ検出した場合を例としている。顔を複数検出した場合、制御部６は顔検出部５によって検出された顔の情報に基づいてＯＳＤ発生部８に顔（１）６４、顔（２）６５、顔（３）６６それぞれを囲うような大きさの矩形の顔検出領域枠（１）６１、顔検出領域枠（２）６２、顔検出領域枠（３）６３のＯＳＤ信号を発生させる。ＯＳＤ重畳部９は映像信号処理部４から入力された映像信号に上記３つの顔検出領域枠のＯＳＤ信号を重畳する。従って、ディスプレイ１０には人物（１）６７の顔（１）６４、人物（２）６８の顔（２）６５、人物（３）６９の顔（３）６６、それぞれを顔検出領域枠（１）６１、顔検出領域枠（２）６２、顔検出領域枠（３）６３で囲んだ画像が表示される。
【００６４】
次に顔を検出しているときの動作例について説明する。図１８では顔検出部５が３人の人物の顔を検出している。このとき、制御部６はそれぞれの顔に画面右側から順に番号を付ける。第３実施形態では顔（１）６４、顔（２）６５、顔（３）６６となる。また、第３実施形態では、番号の付け方を画面右側からとしたが、画面左側や画面中央から番号を付けても良い。
また、以下の説明において、“スポット測光・顔（１）”なるモードは、人物（１）６７の顔（１）６４の中心位置４０１を中心とした領域４５Ｆ1を明るさの基準とする撮影モードである。“スポット測光・顔（２）”なるモードは、人物（２）６８の顔（２）６５の中心位置４０２を中心とした領域４５Ｆ2を明るさの基準とする撮影モードである。“スポット測光・顔（３）”なるモードは、人物（３）６９の顔（３）６６の中心位置４０３を中心とした領域４５Ｆ3を明るさの基準とする撮影モードである。
【００６５】
顔を検出しているときに制御部６はあらかじめ、顔を検出しているときに使用する可能性が高い順に上記の４つの撮影モードを並べ替えておく。「モード１」→「モード２」→「モード３」→「モード４」→「モード・オフ」というように撮影モードが切り替わるとすると、制御部６は顔検出をしているときに使用頻度が低いと考えられる逆光補正よりもスポット測光を優先する。また、検出している顔の部分でスポット測光を行う可能性が高いと考えられるので「モード１」に“スポット測光・顔１”を、「モード２」に“スポット測光・顔２”を割り当て、次の「モード３」には“スポット測光・顔３”を割り当てる。最後の「モード４」には顔を検出していないときに１番使用頻度が低いと考えられる“逆光補正”を割り当てる。
【００６６】
顔検出部５が顔を３つ検出しているとき、制御部６は上記のように各撮影モードを割り当てるため、最初に逆光補正・スポット測光ボタン７２が押下されると“スポット測光・顔（１）”が有効になり、その後、逆光補正・スポット測光ボタン７２が押下されるたびに、“スポット測光・顔（２）”、“スポット測光・顔（３）”、“逆光補正”の順に撮影モードが切り替わり、最後に「モード・オフ」となる。
【００６７】
図１８では顔検出部５が顔を３つ検出した場合の例であるが、顔検出部５が顔をN個検出したときは同様にして「モード１」〜「モードN」に“スポット測光・顔（１）”〜“スポット測光・顔（N）”が割り当てられ、「モード（N＋１）」には“逆光補正”が割り当てられる。また、顔が検出されなかったときの動作は第３実施形態と同様で通常時の撮影モード切り替え順となり、「モード１」、「モード２」、「モード３」、「モード４」それぞれに”逆光補正“、“スポット測光・中央”、“スポット測光・左”、”スポット測光・右“を割り当てる。
【００６８】
前述の並べ替えを実現させる際の動作を図１９のフローチャートを用いて説明する。なお、顔検出部５が顔をＮ個検出しているとして、前述した「モード１」〜「モード（Ｎ＋１）」を用いる。なお、ステップＳ４０１〜ステップＳ４０４までは、図１４のステップＳ２０１〜ステップＳ２０４と同様である。ステップＳ４０６〜ステップＳ４１３までは、図１４のステップＳ２０５〜ステップＳ２１２と同様である。そのため、ステップＳ４０５とステップＳ４１４以降のみ説明する。
【００６９】
ステップＳ４０３にて、顔を検出している場合（Ｙｅｓ）、ステップＳ４０５にて制御部６は検出している顔それぞれに右から順番に番号をつける。そして、次のステップＳ２０５にて制御部６は検出している顔の数や顔の位置の情報に従って顔検出時の撮影モード切り替え順に並べ替える。
【００７０】
また、ステップＳ４１０にて顔検出時の切り替え順の場合（顔検出時）、ステップＳ５０２にて制御部６は現在、どの撮影モードが有効であるかを判断する。「モード１」〜「モードＮ」のいずれかが有効である場合（モード１〜Ｎ）、ステップＳ４１５にて、制御部６は各撮影モードを次の撮影モードに切り替える。すなわち、制御部６は「モード１」は「モード２」へ、「モード２」は「モード３」へ切り替え、「モード３」以降も同様にして次の撮影モードに切り替える。「モードＮ」は「モード（Ｎ＋１）」へ切り替わることになる。また、ステップＳ４１４にて「モード（Ｎ＋１）」が有効である場合（モード（Ｎ＋１））、ステップＳ４１６にて制御部６は「モード・オフ」にする。
以上によって、顔を検出していない状態と検出している状態とで“逆光補正”と“スポット測光”の撮影モードの順をそれぞれ最適化することができる。
【００７１】
各実施形態ではメニュー表示していないとき、または、撮影モードが有効でないときはすぐに撮影モードメニュー順番、及び、撮影モード切り替え順が変わってしまうようになっているが一度変更された順番を一定時間保持するような構成にしてもよい。
【００７２】
本発明は以上説明した各実施形態に限定されることはなく、本発明の要旨を逸脱しない範囲において種々変更が可能である。例えば、“スポット測光”と“逆光補正”を撮影モードの例としたが、これに限るものではない。
【符号の説明】
【００７３】
１  レンズ
２  絞り部
３  撮像素子
４  映像信号処理部
５  顔検出部
６  制御部
７  操作部
８  オンスクリーンディスプレイ発生部
９  オンスクリーンディスプレイ重畳部
１０  ディスプレイ
２１  絞り
２２  絞り駆動部
２３  撮影状態設定部
７１  メニュー表示ボタン
７２  逆光補正・スポット測光ボタン
７３  カーソルボタン
７４  撮影ボタン
７５  決定ボタン
【図１】
2010050950.tif 000003
【図２】
2010050950.tif 000004
【図３】
2010050950.tif 000005
【図４】
2010050950.tif 000006
【図５】
2010050950.tif 000007
【図６】
2010050950.tif 000008
【図７】
2010050950.tif 000009
【図８】
2010050950.tif 000010
【図９】
2010050950.tif 000011
【図１０】
2010050950.tif 000012
【図１１】
2010050950.tif 000013
【図１２】
2010050950.tif 000014
【図１３】
2010050950.tif 000015
【図１４】
2010050950.tif 000016
【図１５】
2010050950.tif 000017
【図１６】
2010050950.tif 000018
【図１７】
2010050950.tif 000019
【図１８】
2010050950.tif 000020
【図１９】
2010050950.tif 000021